【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
（ｉ）物質集合体を提供する工程、
（ｉｉ）（ａ）少なくとも１種類の炭水化物成分と、
（ｂ）少なくとも１つの第１級アミン基を含む有機アミン、少なくとも１つの第１級アミン基を含む有機アミンの塩、ポリアミン、第１級ポリアミン、および高分子ポリアミンからなる群より選択される少なくとも１種類の含窒素成分との
反応生成物（１種類または複数種）を含む水溶性予備反応物型バインダー組成物を提供する工程であって、
該予備反応物型バインダー組成物は、１〜５００ｋＤａの範囲の分子量を有する少なくとも１種類のプレポリマーを、該予備反応物型バインダー組成物の総重量に対して２ｗｔ％または２ｗｔ％より多くの量で含む、工程、
（ｉｉｉ）８０ｗｔ％以下の、工程（ｉｉ）で得られた該予備反応物型バインダー組成物を含有する水溶液または分散液の形態の水溶性予備反応物型バインダー組成物を、物質集合体に適用する工程、および
（ｉｖ）該溶液または分散液を含有する物質集合体に、エネルギーを適用し、該バインダー組成物を硬化させる工程
を含む、高分子バインダーによって結合された物質集合体の製造方法。
【請求項２】
工程（ｉｉ）が、前記予備反応物型バインダー組成物に架橋剤を添加することを含む、請求項１に記載の方法。
【請求項３】
前記架橋剤が、ヘキサメチレンジアミンを含む、請求項２に記載の方法。
【請求項４】
前記１〜５００ｋＤａの範囲の分子量を有する少なくとも１種類のプレポリマーが、前記予備反応物型バインダー組成物の総重量に対して５ｗｔ％または５ｗｔ％より多くの量で含有される、請求項１〜３のいずれか１項に記載の方法。
【請求項５】
前記１〜５００ｋＤａの範囲の分子量を有する少なくとも１種類のプレポリマーが、前記予備反応物型バインダー組成物の総重量に対して１０ｗｔ％または１０ｗｔ％より多くの量で含有される、請求項４に記載の方法。
【請求項６】
前記１〜５００ｋＤａの範囲の分子量を有する少なくとも１種類のプレポリマーが、前記予備反応物型バインダー組成物の総重量に対して２０ｗｔ％または２０ｗｔ％より多くの量で含有される、請求項４に記載の方法。
【請求項７】
前記１〜５００ｋＤａの範囲の分子量を有する少なくとも１種類のプレポリマーが、前記予備反応物型バインダー組成物の総重量に対して３５ｗｔ％または３５ｗｔ％より多くの量で含有される、請求項４に記載の方法。
【請求項８】
前記１〜５００ｋＤａの範囲の分子量を有する少なくとも１種類のプレポリマーが、前記予備反応物型バインダー組成物の総重量に対して５０ｗｔ％または５０ｗｔ％より多くの量で含有される、請求項４に記載の方法。
【請求項９】
前記予備反応物型バインダー組成物が、少なくとも３０ｗｔ％の該予備反応物型バインダー組成物を含有する水溶液または分散液の形態である、請求項１〜８のいずれか１項に記載の方法。
【請求項１０】
前記予備反応物型バインダー組成物が、少なくとも４０ｗｔ％の該予備反応物型バインダー組成物を含有する水溶液または分散液の形態である、請求項９に記載の方法。
【請求項１１】
前記予備反応物型バインダー組成物が、少なくとも５０ｗｔ％の該予備反応物型バインダー組成物を含有する水溶液または分散液の形態である、請求項９に記載の方法。
【請求項１２】
前記予備反応物型バインダー組成物が、少なくとも５５ｗｔ％の該予備反応物型バインダー組成物を含有する水溶液または分散液の形態である、請求項９に記載の方法。
【請求項１３】
前記予備反応物型バインダー組成物が、８０〜５００ｋＤａの範囲の分子量を有する少なくとも１種類のプレポリマーを、該予備反応物型バインダー組成物の総重量に対して０．２ｗｔ％または０．２ｗｔ％より多くの量で含む、請求項１〜１２のいずれか１項に記載の方法。
【請求項１４】
前記予備反応物型バインダー組成物が、８０〜５００ｋＤａの範囲の分子量を有する少なくとも１種類のプレポリマーを、該予備反応物型バインダー組成物の総重量に対して０．５ｗｔ％または０．５ｗｔ％より多くの量で含む、請求項１３に記載の方法。
【請求項１５】
前記予備反応物型バインダー組成物が、８０〜５００ｋＤａの範囲の分子量を有する少なくとも１種類のプレポリマーを、該予備反応物型バインダー組成物の総重量に対して０．７５ｗｔ％または０．７５ｗｔ％より多くの量で含む、請求項１３に記載の方法。
【請求項１６】
前記予備反応物型バインダー組成物が、１０〜８０ｋＤａの範囲の分子量を有する少なくとも１種類のプレポリマーを、該予備反応物型バインダー組成物の総重量に対して１ｗｔ％または１ｗｔ％より多くの量で含む、請求項１〜１５のいずれか１項に記載の方法。
【請求項１７】
前記予備反応物型バインダー組成物が、１０〜８０ｋＤａの範囲の分子量を有する少なくとも１種類のプレポリマーを、該予備反応物型バインダー組成物の総重量に対して５ｗｔ％または５ｗｔ％より多くの量で含む、請求項１６に記載の方法。
【請求項１８】
前記予備反応物型バインダー組成物が、１０〜８０ｋＤａの範囲の分子量を有する少なくとも１種類のプレポリマーを、該予備反応物型バインダー組成物の総重量に対して１０ｗｔ％または１０ｗｔ％より多くの量で含む、請求項１６に記載の方法。
【請求項１９】
前記予備反応物型バインダー組成物が、１０〜８０ｋＤａの範囲の分子量を有する少なくとも１種類のプレポリマーを、該予備反応物型バインダー組成物の総重量に対して３０ｗｔ％または３０ｗｔ％より多くの量で含む、請求項１６に記載の方法。
【請求項２０】
前記予備反応物型バインダー組成物が、１０〜８０ｋＤａの範囲の分子量を有する少なくとも１種類のプレポリマーを、該予備反応物型バインダー組成物の総重量に対して５０ｗｔ％または５０ｗｔ％より多くの量で含む、請求項１６に記載の方法。
【請求項２１】
前記予備反応物型バインダー組成物が、（ａ）の少なくとも１種類の炭水化物成分および（ｂ）の少なくとも１種類の含窒素成分とは異なる、１０ｋＤａのまたは１０ｋＤａより小さい分子量を有する１種類または１種類より多くの化合物を含む、請求項１〜２０のいずれか１項に記載の方法。
【請求項２２】
前記１０ｋＤａのまたは１０ｋＤａより小さい分子量を有する１種類または１種類より多くの化合物が、グリコールアルデヒド、グリセルアルデヒド、２−オキソプロパナール、アセトール、ジヒドロキシアセトン、アセトイン、ブタンジオン、エタナール、グルコソン、１−デソキシヘキソスロース、３−デソキシヘキソスロース、３−デソキシ−ペントスロース、１，４−ジデソキシヘキソスロース、グリオキサール、メチルグリオキサール、ジアセチルおよび５−（ヒドロキシメチル）フルフラールのうちの１種類または１種類より多くを含む、請求項２１に記載の方法。
【請求項２３】
前記予備反応物型バインダー組成物の少なくとも１種類の炭水化物成分が、単糖類、二糖類および多糖類またはその混合物からなる群より選択される、請求項１〜２２のいずれか１項に記載の方法。
【請求項２４】
前記予備反応物型バインダー組成物の少なくとも１種類の炭水化物成分が、還元糖、リボース、アラビノース、キシロース、リキソース、グルコース（デキストロース）、マンノース、ガラクトース、アロース、アルトロース、タロース、グロース、イドース、フルクトース、プシコース、ソルボース、ジヒドロキシアセトン、スクロースおよびタガトースまたはその混合物からなる群より選択される、請求項２３に記載の方法。
【請求項２５】
前記予備反応物型バインダー組成物の少なくとも１種類の含窒素成分がヘキサメチレンジアミンである、請求項１〜２４のいずれか１項に記載の方法。
【請求項２６】
前記物質集合体は、鉱物繊維、鉱滓綿繊維、石綿繊維、ガラス繊維、アラミド繊維、セラミック繊維、金属繊維、炭素繊維、ポリイミド繊維、ポリエステル繊維、レーヨン繊維、セルロース系繊維、石炭、砂、かんなくず、おがくず、木材パルプ、砕木、木材チップ、木片、木材積層体、黄麻、亜麻、麻、わら、ベニヤ板、化粧材、化粧板、粒子および織物または不織材料からなる群より選択される物質を含む、請求項１〜２５のいずれか１項に記載の方法。
【請求項２７】
７０ｗｔ％の前記予備反応物型バインダー組成物を含有する水溶液が、２０℃で最大２０００ｃＰの粘度を有する、請求項１〜２６のいずれか１項に記載の方法。
【請求項２８】
７０ｗｔ％の前記予備反応物型バインダー組成物を含有する水溶液の粘度は、２０℃で１２時間放置したとき５００ｃＰより大きく増大しない、請求項１〜２７のいずれか１項に記載の方法。
【請求項２９】
請求項１〜２８のいずれか１項に記載の方法であって、前記予備反応物型バインダー組成物が、前記少なくとも１種類の炭水化物成分（ａ）および前記少なくとも１種類の含窒素成分（ｂ）を含む出発物質を混合することによって調製される予備反応物型バインダーであり、該出発物質中の該少なくとも１種類の炭水化物成分（ａ）および該少なくとも１種類の含窒素成分（ｂ）の総量が、予備反応前のバインダー組成物の総重量に対して少なくとも２０ｗｔ％である、方法。
【請求項３０】
前記予備反応物型バインダー組成物を調製するための出発物質中の少なくとも１種類の炭水化物成分（ａ）および少なくとも１種類の含窒素成分（ｂ）の総量が、予備反応前の前記バインダー組成物の総重量に対して少なくとも４０ｗｔ％である、請求項２９に記載の方法。
【請求項３１】
前記出発物質中の少なくとも１種類の炭水化物成分（ａ）および少なくとも１種類の含窒素成分（ｂ）の総量が、予備反応前の前記バインダー組成物の総重量に対して少なくとも６０ｗｔ％である、請求項２９に記載の方法。
【請求項３２】
前記出発物質中の少なくとも１種類の炭水化物成分（ａ）および少なくとも１種類の含窒素成分（ｂ）の総量が、予備反応前の前記バインダー組成物の総重量に対して少なくとも８０ｗｔ％である、請求項２９に記載の方法。
【請求項３３】
前記出発物質中の少なくとも１種類の炭水化物成分（ａ）および少なくとも１種類の含窒素成分（ｂ）の総量が、予備反応前の前記バインダー組成物の総重量に対して少なくとも９５ｗｔ％である、請求項２９に記載の方法。
【請求項３４】
前記少なくとも１種類の炭水化物成分（ａ）と前記少なくとも１種類の含窒素成分（ｂ）との反応生成物（１種類または複数種）の総量が、予備反応物型バインダー組成物の総重量に対して少なくとも２０ｗｔ％である、請求項１〜３３のいずれか１項に記載の方法。
【請求項３５】
前記少なくとも１種類の炭水化物成分（ａ）と前記少なくとも１種類の含窒素成分（ｂ）との反応生成物（１種類または複数種）の総量が、予備反応物型バインダー組成物の総重量に対して少なくとも４０ｗｔ％である、請求項３４に記載の方法。
【請求項３６】
前記少なくとも１種類の炭水化物成分（ａ）と前記少なくとも１種類の含窒素成分（ｂ）との反応生成物（１種類または複数種）の総量が、予備反応物型バインダー組成物の総重量に対して少なくとも６０ｗｔ％である、請求項３４に記載の方法。
【請求項３７】
前記少なくとも１種類の炭水化物成分（ａ）と前記少なくとも１種類の含窒素成分（ｂ）との反応生成物（１種類または複数種）の総量が、予備反応物型バインダー組成物の総重量に対して少なくとも８０ｗｔ％である、請求項３４に記載の方法。
【請求項３８】
前記少なくとも１種類の炭水化物成分（ａ）と前記少なくとも１種類の含窒素成分（ｂ）との反応生成物（１種類または複数種）の総量が、予備反応物型バインダー組成物の総重量に対して少なくとも９５ｗｔ％である、請求項３４に記載の方法。
【請求項３９】
請求項１〜３８のいずれか１項に記載の方法により得られる繊維または粒子含有製品。
【手続補正２】
【補正対象書類名】明細書
【補正対象項目名】０１１１
【補正方法】変更
【補正の内容】
【０１１１】
特定の一実施形態によれば、該繊維または粒子含有製品は１種類または１種類より多くのフルクトサジンを含むものである。好ましくは、前記１種類または１種類より多くのフルクトサジン（ｆｒｕｔｏｓａｚｉｎｅ）は０．００１〜５ｗｔ％、例えば、０．０１〜５ｗｔ％、０．０５〜５ｗｔ％、０．１〜５ｗｔ％、０．１５〜５ｗｔ％、０．２〜５ｗｔ％、０．２５〜５ｗｔ％、０．３〜５ｗｔ％、０．４〜５ｗｔ％、０．５〜５ｗｔ％、０．７５〜５ｗｔ％、１〜５ｗｔ％、１．５〜５ｗｔ％、２〜５ｗｔ％または２．５〜５ｗｔ％の量で存在している。さらなる例としては、０．０１〜４．５ｗｔ％、０．０１〜４ｗｔ％、０．０１〜３．５ｗｔ％、０．０１〜３ｗｔ％、０．０１〜２．５ｗｔ％、０．０１〜２ｗｔ％、０．０１〜１．５ｗｔ％、０．０１〜１ｗｔ％または０．０１〜０．７５ｗｔ％の範囲が挙げられる。本発明によれば、本発明の繊維または粒子含有製品に含める１種類または１種類より多くのフルクトサジンの量は上記の範囲に限定されず、前記の範囲の上限および下限の値は自由に組み合わされ得る。
例えば、本発明は、以下の項目を提供する。
（項目１）
（ｉ）少なくとも１種類の炭水化物成分と、
（ｉｉ）少なくとも１種類の含窒素成分
の反応生成物（１種類または複数種）を含む、水溶性予備反応物型バインダー組成物。
（項目２）
前記バインダー組成物が、１〜５００ｋＤａの範囲の分子量を有する少なくとも１種類のプレポリマーを含むものである、項目１に記載の予備反応物型バインダー組成物。
（項目３）
前記少なくとも１種類のプレポリマーが、前記バインダー組成物の総重量に対して２ｗｔ％または２ｗｔ％より多くの量で含有されている、項目２に記載の予備反応物型バインダー組成物。
（項目４）
前記バインダー組成物が、８０を超えて５００ｋＤａまでの範囲の分子量を有する少なくとも１種類のプレポリマー（高分子量プレポリマー）を含むものである、前記項目のいずれかに記載の予備反応物型バインダー組成物。
（項目５）
前記少なくとも１種類の高分子量プレポリマーが、前記バインダー組成物の総重量に対して０．２ｗｔ％または０．２ｗｔ％より多くの量で含有されている、項目４に記載の予備反応物型バインダー組成物。
（項目６）
前記バインダー組成物が、１０を超えて８０ｋＤａまでの範囲の分子量を有する少なくとも１種類のプレポリマー（中分子量プレポリマー）を含むものである、前記項目のいずれかに記載の予備反応物型バインダー組成物。
（項目７）
前記少なくとも１種類の中分子量プレポリマーが、前記バインダー組成物の総重量に対して０．３ｗｔ％または０．３ｗｔ％より多くの量で含有されている、項目６に記載の予備反応物型バインダー組成物。
（項目８）
前記バインダー組成物が、１０ｋＤａのまたは１０ｋＤａより小さい分子量を有し、かつ（ｉ）の前記少なくとも１種類の炭水化物成分および（ｉｉ）の前記少なくとも１種類の含窒素成分と異なる１種類または１種類より多くの化合物（低分子量化合物）を含むものである、前記項目のいずれかに記載の予備反応物型バインダー組成物。
（項目９）
前記低分子量化合物が、グリコールアルデヒド、グリセルアルデヒド、２−オキソプロパナール、アセトール、ジヒドロキシアセトン、アセトイン、ブタンジオン、エタナール、グルコソン、１−デソキシヘキソスロース、３−デソキシヘキソスロース、３−デソキシ−ペントスロース、１，４−ジデソキシヘキソスロース、グリオキサール、メチルグリオキサール、ジアセチルおよび５−（ヒドロキシメチル）フルフラールのうちの１種類または１種類より多くを含む、項目８に記載の予備反応物型バインダー組成物。
（項目１０）
７０ｗｔ％の前記予備反応物型バインダー組成物を含有する水溶液が２０℃で最大２０００ｃＰの粘度を有する、前記項目のいずれかに記載の予備反応物型バインダー組成物。
（項目１１）
７０ｗｔ％の前記予備反応物型バインダー組成物を含有する水溶液の粘度が、２０℃で１２時間放置したとき５００ｃＰより大きく増大しない、前記項目のいずれかに記載の予備反応物型バインダー組成物。
（項目１２）
前記予備反応物型バインダー組成物が、架橋剤と反応して１種類または１種類より多くのメラノイジンを水不溶性組成物として生成し得るものである、前記項目のいずれかに記載の予備反応物型バインダー組成物。
（項目１３）
前記含窒素成分（１種類または複数種）の全反応性含窒素基に対する前記炭水化物成分（１種類または複数種）の全カルボニル基の比が５：１〜１：５である、前記項目のいずれかに記載の予備反応物型バインダー組成物。
（項目１４）
前記少なくとも１種類の炭水化物成分が単糖類、二糖類、多糖類またはその反応生成物からなる群より選択される、前記項目のいずれかに記載の予備反応物型バインダー組成物。
（項目１５）
前記少なくとも１種類の炭水化物成分が、還元糖、リボース、アラビノース、キシロース、リキソース、グルコース（デキストロース）、マンノース、ガラクトース、アロース、アルトロース、タロース、グロース、イドース、フルクトース、プシコース、ソルボース、ジヒドロキシアセトン、スクロースおよびタガトースならびにその混合物からなる群より選択される、前記項目のいずれかに記載の予備反応物型バインダー組成物。
（項目１６）
前記少なくとも１種類の含窒素成分が、ＮＨ３、少なくとも１つの第１級アミン基を含む無機アミンまたは有機アミンならびにその塩である、前記項目のいずれかに記載の予備反応物型バインダー組成物。
（項目１７）
前記炭水化物成分と前記含窒素成分の重量比が０．５：１〜３０：１である、前記項目のいずれかに記載の予備反応物型バインダー組成物。
（項目１８）
前記炭水化物成分によってもたらされる最初のカルボニル基の少なくとも１０％を含んでいる、前記項目のいずれかに記載の予備反応物型バインダー組成物。
（項目１９）
（ｉ）少なくとも１種類の炭水化物成分を提供する工程、
（ｉｉ）少なくとも１種類の含窒素成分を提供する工程、
（ｉｉｉ）溶媒中で前記炭水化物成分（１種類または複数種）と前記含窒素成分（１種類または複数種）を混合する工程、および
（ｉｖ）工程（ｉｉｉ）で得られた溶液または分散液中で前記炭水化物成分（１種類または複数種）と前記含窒素成分（１種類または複数種）を反応させる工程
を含む、前記項目のいずれかに記載の予備反応物型バインダー組成物の製造方法。
（項目２０）
工程（ｉ）〜（ｉｖ）が、前記炭水化物成分（１種類または複数種）と前記含窒素成分（１種類または複数種）が、高分子バインダーで結合させる物質集合体と接触していない間に行なわれる、項目１９に記載の方法。
（項目２１）
反応工程（ｉｖ）が、前記炭水化物成分（１種類または複数種）と前記含窒素成分（１種類または複数種）を最大１２０℃の温度で反応させることにより行なわれる、項目１９または２０に記載の方法。
（項目２２）
反応工程（ｉｖ）が、前記炭水化物成分（１種類または複数種）と前記含窒素成分（１種類または複数種）を最大９６時間の間、反応させることにより行なわれる、項目１９〜２１のいずれかに記載の方法。
（項目２３）
反応工程（ｉｖ）が、前記炭水化物成分（１種類または複数種）と前記含窒素成分（１種類または複数種）を４０〜１２０℃の温度範囲で５〜１８０分間の間反応させることにより行なわれる、項目１９〜２２のいずれか１項に記載の方法。
（項目２４）
反応工程（ｉｖ）が、前記炭水化物成分（１種類または複数種）と前記含窒素成分（１種類または複数種）を２０〜３０℃の温度範囲で１〜９６時間の間反応させることにより行なわれる、項目１９〜２２のいずれか１項に記載の方法。
（項目２５）
前記炭水化物成分（１種類または複数種）と前記含窒素成分（１種類または複数種）を反応させる工程（ｉｖ）中の該溶液または分散液の粘度が、２０℃で測定したとき３００ｃＰより大きく増大せず、前記工程（ｉｖ）前に存在しているすべての炭水化物および含窒素成分の開始濃度７０ｗｔ％より大きく増大しない、項目１９〜２４に記載の方法。
（項目２６）
項目１９〜２５のいずれか１項に記載の方法によって得られ得る水溶性予備反応物型バインダー組成物。
（項目２７）
高分子バインダーによって結合された物質集合体を含む製品の製造における項目１〜１８のいずれか１項に記載の水溶性予備反応物型バインダー組成物の使用。
（項目２８）
（ｉ）物質集合体を提供する工程、
（ｉｉ）項目１〜１８のいずれか１項に記載の予備反応物型バインダー組成物または項目１９〜２５のいずれか１項に記載の方法によって得られる予備反応物型バインダー組成物を溶媒に入れ、溶液または分散液を得る工程、
（ｉｉｉ）工程（ｉｉ）で得られた溶液または分散液を該物質集合体に適用する工程、および
（ｉｖ）該溶液または分散液を含有している該物質集合体にエネルギーを与え、該バインダー組成物を硬化させる工程
を含有する、高分子バインダーによって結合された物質集合体の製造方法。
（項目２９）
工程（ｉｉ）において、項目１〜１８のいずれか１項に記載の予備反応物型バインダー組成物または項目１９〜２５のいずれか１項に記載の方法によって得られる予備反応物型バインダー組成物、またはその溶液もしくは分散液に架橋剤を添加する、項目２８に記載の方法。
（項目３０）
工程（ｉｖ）で前記物質集合体にエネルギーを与える前に、項目１〜１８のいずれか１項に記載の予備反応物型バインダー組成物または項目１９〜２５のいずれか１項に記載の方法によって得られ得る予備反応物型バインダーを少なくとも２４時間熟成させる、項目２８または２９に記載の物質集合体の製造方法。
（項目３１）
工程（ｉｉ）で得られた溶液または分散液を前記物質集合体に適用する工程の前では、前記物質集合体はバインダーを実質的に含有していない、項目２８〜３０のいずれか１項に記載の物質集合体の製造方法。
（項目３２）
溶媒中に項目１〜１８のいずれか１項に記載の予備反応物型バインダー組成物と架橋剤を含むものである、バインダー溶液または分散液。
（項目３３）
１種類または１種類より多くの型の繊維および／または粒子と項目１〜１８のいずれか１項に規定される予備反応物型バインダー組成物を硬化された状態で含有するものである、繊維または粒子含有製品。
（項目３４）
項目２８〜３１のいずれか１項に記載の方法によって得られ得る、項目３３に記載の繊維または粒子含有製品。
（項目３５）
１種類または１種類より多くのフルクトサジンを含有するものである、項目３３または３４に記載の繊維または粒子含有製品。
（項目３６）
前記１種類または１種類より多くのフルクトサジンが、硬化したバインダーの総質量に対して０．００１〜５ｗｔ％の量で存在している、項目３５に記載の繊維または粒子含有製品。